Podtech/llm-jp-corpus-v4-ja_patent huggingface dataset:
(57)【要約】      （修正有）【課題】身近な資材店で手に入れることができる材料と一部の取り寄せ材料を使って造れる津波シェルターを提供する。【解決手段】一部の特殊品を除き、身近な資材店で入手可能な材料を使い、▲１▼骨組を造り、その周りを▲９▼軽量強化材料で覆い固定、その後に▲１０▼発泡樹脂で内部を固め浮力を持たせた、高度な技術を要しないでも製作可能で、発泡樹脂が浮力を保つので穴が開いても、沈まない燃え難い津波シェルターを考案することにより、素人でも造れるようになり、同時に多くの人がシェルターを造ることができ、結果、命を守るための準備が整い、多くの人命が救われる可能性が高まる。【選択図】図１
2016132449.tif 000002
【特許請求の範囲】
【請求項１】
（イ）強度を持つ構造体を組合せ、骨組を作る。
（ロ）骨組を軽量強化材料で囲う。
（ハ）発泡樹脂を軽量強化材料と構造体に設ける。
以上のごとく、構成された自分で造れる沈まない津波シェルター。
【請求項２】
〔請求項１〕に、内部に浸水することがない浮力の大きさを持つ発泡樹脂を設け、自分で造れて沈まず燃えにくい津波シェルター。
【請求項３】
〔請求項２〕に入口、展望口、ベッド、床下収納庫、トイレを設けた、自分で造れて沈まず燃えにくい津波シェルター。
【発明の詳細な説明】
【技術分野】
【００１】  本発明は、身近な資材店で手に入れることができる材料と一部の取り寄せ材料を使って造れる津波シェルターに関するものである。
【背景技術】
【００２】  これまでは、技術のいる比較的高価な津波シェルターしかなく、素人でも容易に造れるものはなかった。また、水が浸入すると沈むタイプが多かった。
【発明の開示】
【発明が解決しようとする課題】
【００３】  これまでは、津波シェルターは高度な技術や特殊な機械や材料を要するため、高価で多くの人に広がり難く、穴が開くと沈むタイプが多く不安である。
対象が東南海地震の規模になると提供するにも生産が間に合わないので地震で津波が発生することが分かっていても、命を守るための準備ができない人が多く、逃げようにも津波発生から到達までの時間が短すぎて、津波から逃げられない人が多いと予測され、多くの人命に係わると考えられる。
【課題を解決するための手段】
【００４】  身近な資材店で入手可能な材料を使い、骨組みを造り、その周りを燃え難い軽量強化材料（例えば、炭素繊維材料）で被い固定、その後に発泡樹脂で内を固め、高度な技術を要しないでも製作可能で、発泡樹脂が浮力を保つので穴が開いても、沈まない津波シェルターを考案することにより、素人でも造れるようになり、同時に多くの人がシェルターを造ることができ、結果、命を守るための準備が整い、多くの人命が救われる可能性が高まる。
【発明を実施するための最良の形態】
【００５】  強度のある材料で▲１▼骨組を設ける。▲１▼骨組の周りを外部からの衝突物から守る▲９▼軽量強化材料で覆う。側面に▲５▼入口と▲６▼入口扉を設ける。最上部に周りの状況を確認するための▲７▼展望口と▲８▼展望口扉を設ける。また、穴が開いても、少々壊れても、沈まない浮力量の▲１０▼発泡樹脂を内部及び最下部に設け、さらに、▲２▼ベッドａ、▲３▼ベッドｂ、▲４▼ベッドｃと食料、サバイバル用品、救急品、シェルターの重心を定める役目も兼ねているペットボトル水（４人が２週間生存の必要量）を収納する▲１１▼床下収納庫を設ける。また、外部に通ずる配管を持つ▲１２▼トイレを設ける。
【発明の効果】
【００６】  従って、主な資材を身近で揃えることができ、骨組部は組み立て式で簡単に造ることができ、軽量強化材料（炭素繊維など）を使うので、丈夫で、少々の衝撃には耐えられ、壊れがたく、ベッドを設けることによって、被災した場合、しばらくの間この中で寝起きできる。また、ベッドの下の収納に必要最小限の防災グッズや食料を収納できる。また、床にペットボトル水を入れる床下収納を設けることによって、重心が下に来ることにより、水上で常に、床面が下に来るように保たれる。また、展望口があるので、周りの状況確認などができる。また、発泡樹脂が浮力と衝撃力吸収の緩衝材の役割を果たすので穴が開いても沈まず、内部で人が転んでも、怪我をしにくい。また、不燃性の軽量強化材料を使うことにより、火に対しても、ある程度は耐えることができる。水や食料を一週ないし二週間分貯えておけば、助かる可能性も高い、そして、これらの施工方法が特別な機械や加工を要せず、素人でも組み立て、施工方法さえ分かれば造ることができるということによって、必要な人がほぼ同時に取り掛かることができるので、シェルターが皆に早くそろい、命を守る行動がし易くなる。
【図面の簡単な説明】
【図１】斜視図（一部内部透視図）
【図２】正面図
【図３】側面図
【図４】平面図
【図５】構造図
【図６】壁詳細図
【符号の説明】▲１▼  骨組
▲２▼  ベッドａ
▲３▼  ベッドｂ
▲４▼  ベッドｃ
▲５▼  入口
▲６▼  入口扉
▲７▼  展望口
▲８▼  展望口扉
▲９▼  軽量強化材料
▲１０▼  発泡樹脂
▲１１▼  床下収納庫
▲１２▼  トイレ
【図１】
2016132449.tif 000003
【図２】
2016132449.tif 000004
【図３】
2016132449.tif 000005
【図４】
2016132449.tif 000006
【図５】
2016132449.tif 000007
【図６】
2016132449.tif 000008
(57)【要約】【課題】挿入装置を考案し、ティーバックや抽出用素材の入った小袋を、簡単に固定や取り外し出来るようにすること。ティーバックや抽出用素材の入った小袋を装着した挿入装置が、容器として使用するペットボトルや口の狭い瓶を、簡単に出し入れがおこなえるようにすること。【解決手段】本発明の挿入装置本体（１）は、容器として使用するペットボトルや口の狭い瓶への出し入れが簡単に行えるように横幅の長さを短く、又、ティーバックや抽出用素材の入った小袋を挿入装置本体に簡単に装着し固定することが出来るように、挿入装置本体の外側辺縁に達しないように、挿入装置本体の一方面側の上部から下部に、反対面側の上部から下部にかけて貫通する切れ目（２）を設けた。【選択図】図１
2016132504.tif 000002
【特許請求の範囲】
【請求項１】
挿入装置本体（１）の横幅の長さを短く、挿入装置本体の一方面側から反対面側のにかけて貫通する切れ目（２）を設ける。
【発明の詳細な説明】
【技術分野】
【０００１】  紅茶・日本茶のティーバックやコーヒー粉・出汁の素材の小袋を使って、水やお湯で抽出液を作ることに関するものである。
【背景技術】
【０００２】  ティーバックや素材の入った小袋を液体に浸けて抽出液を作るために、容器としてペットボトルや瓶を使う場合、従来、バックや小袋を着脱可能な挿入装置に装着して、ペットボトルや瓶へ挿入して抽出を行うということは無かった。
【先行技術文献】
【特許文献】
【０００３】
【特許文献１】
【発明の概要】
【発明が解決しようとする課題】
【０００４】  ティーバックや抽出用素材の入った小袋を装着した挿入装置を、容器として使用するペットボトルや口の狭い瓶に、簡単に出し入れが行えるようにすること。また、挿入装置に、ティーバックや抽出用素材の入った小袋を簡単に固定や取り外し出来るようにすること。
本発明は、以上のことを解決するために考案されたものです。
【課題を解決するための手段】
【０００５】  本発明の挿入装置本体（１）は、容器として使用するペットボトルや口の狭い瓶への出し入れが簡単に行えるように横幅を狭くし、又、挿入装置本体の外側辺縁に達しないように挿入装置本体の一方面側の上部から下部に、反対面側の上部から下部にかけて貫通する切れ目（２）を設けた。
本発明は、以上の構造の挿入装置である。
【発明の効果】
【０００６】  発明品の挿入装置本体に、ティーバックや抽出用素材の入った小袋を、簡単に装着と取り外しが出来る。又、ティーバックや抽出用素材の入った小袋を装着した状態でペットボトルや瓶の投入口から簡単に出し入れ出来る。
【図面の簡単な説明】
【０００７】
【図１】  本発明の斜視図である。
【図２】  本発明の正面図である。
【図３】  本発明の裏面図である。
【発明を実施するための形態】
【０００８】  以下、本発明を実施するための形態について説明する。
本発明の挿入装置本体（１）は、容器として使用するペットボトルや口の狭い瓶への出し入れが簡単に行えるように横幅の長さを短くし、又、挿入装置本体の外側辺縁に達しないように挿入装置本体の一方面側の上部から下部に、反対面側の上部から下部にかけて貫通する切れ目（２）を設けた。
本発明は、以上の構造の挿入装置である。
これを使用する場合は、ティーバックや抽出液を作るための素材の入った小袋を、挿入装置の一方面側の切れ目から反対面側の切れ目まで通して挟み込み固定して使用する。
【符号の説明】
【０００９】  １  挿入装置本体
２  切れ目
【図１】
2016132504.tif 000003
【図２】
2016132504.tif 000004
【図３】
2016132504.tif 000005
(57)【要約】      （修正有）【課題】灯油ポリタンクから漏れた灯油が床に垂れない工夫として、灯油漏れ用の受け皿の上に灯油ポリタンクを置くか、漏れた灯油はタオルなどで拭き取ることを軽減するため、少量の灯油漏れは吸収シートにより床に垂れを防止する。【解決手段】粘着シール付きの灯油漏れ吸収シート４を灯油ポリタンク１の側面に貼ることで少量の灯油漏れであれば灯油吸収シート４が灯油を吸収することで床に垂れるのを防止する。汚れた灯油吸収シート４を新しい物に交換する際、手が汚れないよう灯油漏れ吸収シート４には汚れた灯油がしみ込まない持ち手５を備える形状とした。灯油漏れ吸収シート４は吸収した灯油臭を抑えるため消臭効果を備える。【選択図】図１
2016132506.tif 000002
【特許請求の範囲】
【請求項１】
灯油ポリタンク（１）から漏れた灯油が床に付くのを防止する為ポリタンクに貼ることができる灯油吸収シート。
【請求項２】
灯油吸収シート（４）が灯油により汚れた場合、手を汚さずシートを剥がすことが出来る様、シートには剥がす為の持ち手（５）を備える。
【請求項３】
灯油吸収シート（４）は、吸収した灯油臭を抑える消臭効果を備える。
【発明の詳細な説明】
【技術分野】
【０００１】本発明は、灯油ポリタンクの蓋下部に灯油吸収シートを貼ることで、漏れた灯油が少量であれば、吸収シートにより灯油が床に垂れるのを防止することができるものである。
【背景技術】
【０００２】  従来、灯油ポリタンクから灯油が少量漏れた場合、灯油は床まで垂れてしまう。
床に浸み込んだ灯油はいつまでも臭いを発することになる。
【発明の概要】
【発明が解決しようとする課題】
【０００３】  これは、次のような欠点があった。
（イ）従来、灯油が少し漏れたときに灯油をタオルなどで拭き取りたいが、簡単にタオルが見つからないことがあった。
（ロ）灯油を拭き取ったあとのタオルがいつまでも臭いを発していた。
（ハ）少量の灯油漏れを防ぐために、あらかじめ受け皿のような物の上に灯油ポリタンクを置く必要があった。
本発明は、以上のような欠点をなくすためになされたものである。
【課題を解決するための手段】
【０００４】灯油ポリタンク（１）の側面に使い捨て可能な灯油吸収シート（４）を貼ることで、灯油の床垂れを防ぐ。
灯油吸収シート（４）が灯油で汚れた場合は持ち手（５）により手を汚ごさず取替え可能である。
灯油吸収シート（４）が灯油を吸収しても、シートの消臭効果により臭いを抑える。
【発明の効果】
【０００５】（イ）灯油垂れ吸収シート（４）をあらかじめ灯油ポリタンク（１）に貼ることで、灯油ポリタンクから漏れた灯油が少量ならば床に垂れる前に吸収シート（４）が吸収するため、ポリタンクの下に受け皿になるものを必要としない、また漏れた灯油をタオルで拭く必要もない。
（ロ）灯油垂れ吸収シート（４）が灯油を吸収した場合、吸収シート（４）の消臭効果により臭いを抑制する。
（ハ）汚れた灯油垂れ吸収シート（４）は持ち手（５）を備えているので、手を汚すことなく新しいものに取替えが可能である。
【図面の簡単な説明】
【０００６】
【図１】  灯油ポリタンクと本発明の灯油垂れ吸収シートの傾斜図である。
【図２】  本発明の灯油垂れ吸収シートの正面図と側面図である。
【発明の実施をする為の形態】
【０００７】以下、この発明の具体的実施の形態について説明する。
灯油垂れ吸収シート（４）にはポリタンク（１）に貼るための粘着シール（６）が付いているが、簡単に張替えが可能な様に、粘着強度は弱いものとする。
吸収シート（４）は張り替え用の持ち手（５）を備えるが、持ち手（５）はつまみ易いように粘着面は持たない。また持ち手（５）は吸収した灯油が手に付かないよう灯油が吸収しない素材とする。
吸収シート（４）は吸収した灯油臭を抑える消臭効果を備える。
【符号の説明】
【０００８】    １  灯油ポリタンク
２  灯油ポリタンク蓋
３  灯油垂れ
４  灯油垂れ吸収シート
５  持ち手
６  粘着シール
７  持ち手一体フィルム
【図１】
2016132506.tif 000003
【図２】
2016132506.tif 000004
(57)【要約】【課題】  身体の身動きがむつかしい人がベットで寝ながらティシュを使用し、使用済みのティシュを始末する為に側にゴミ箱がなく、床にあるゴミ箱に投棄しなくてはならず非衛生的であった。  本発明はベットの手摺に取り付けて使用するゴミ箱容器を提供する。【解決手段】  ポリプロピレン等の硬質合成樹脂等から構成される上面の空いたゴミ箱容器に、一方向の上部横方向にＣ形のベット手摺を掴む部分を設け、ティシュ箱容器にもＣ形の手摺を掴む部分を設け、ゴミ箱容器の上部にティシュ箱容器を収納させ一体化する。手摺を掴む部分のないティシュ箱容器は、両側面上部に凹の溝を設けゴミ箱容器の上部にティシュ箱容器を収納する事によって一体化して使用できることを特徴とするゴミ箱容器。【選択図】図１
2016132572.tif 000002
【特許請求の範囲】
【請求項１】
ポリプロピレン等の硬質合成樹脂等から構成される上面の空いたゴミ箱容器に、一方向の上部横方向にＣ形のベット手摺を掴む部分を設け、ティシュ箱容器にもＣ形の手摺を掴む部分を設け、ゴミ箱容器の上部にティシュ箱容器を収納して一体化するゴミ箱容器。
【請求項２】
Ｃ形のベット手摺を掴む部分を設けているゴミ箱容器に、両側面上部に凹の溝を設けてあるティシュ箱容器を収納する事によって一体化できる請求項１のゴミ箱容器。
【発明の詳細な説明】
【技術分野】
【０００１】  本発明は病院、介護施設、一般家庭で使用するベットの手摺に取り付けて使用するティシュ収納付きゴミ箱容器に関するものである。
【背景技術】
【０００２】  従来よりベットを使用している人が、ティシュを使用する時はベットから起き上がり、又は手を伸ばしてベット横にある棚等からティシュ箱を取り出して使用し、使用が終っても捨てるゴミ箱が身近になかった。
【先行技術文献】
【０００３】
【特許文献１】  実開平６−１３６８４
【発明の概要】
【発明が解決しようとする課題】
【０００４】  従来のティシュ箱容器は市販されているティシュをティシュ箱から取り出して、容器の中にある支持体の逆Ｕ字状の突起に載せ、ティシュの取り出し口のある蓋を覆いかぶせて使用する構造である為、机上や部屋の床には置けてもベットの上には置くことが出来なかった、よってベット上での使用には適していなかった。また、身体の身動きがむつかしい人がベットで寝ながらティシュを使用し、使用済みのティシュを始末する為には側にゴミ箱がなく、床にあるゴミ箱に投棄しなくてはならず非衛生的であった。
本発明は以上の問題点を解決するものである。
【課題を解決するための手段】
【０００５】  ポリプロピレン等の硬質合成樹脂等から構成される上面の空いたゴミ箱容器に、一方向の上部横方向にＣ形のベット手摺を掴む部分を設け、ティシュ箱容器にもＣ形の手摺を掴む部分を設け、ゴミ箱容器の上部にティシュ箱容器を収納させ一体化する。また、手摺を掴む部分のないティシュ箱容器は、両側面上部に凹の溝を設け、同様にゴミ箱容器の上部にティシュ箱容器を収納する事によって一体化して使用できる。
【発明の効果】
【０００６】  市販のティシュ箱を収納したティシュ箱容器を、ゴミ箱容器と一体化させてベット手摺に取り付け、病院、介護施設、一般家庭のベットでの身体の身動きがむつかしい人が、ベットの上を移動、起き上がることなく手を伸ばした状態で、ティシュを取り出して使用でき、使用済みのティシュも同じゴミ箱容器の空いた上部からゴミ箱容器に簡単に投棄する事ができ、清潔な環境が保たれる。又、ティシュ箱容器にも掴む部分があるため、ティシュ箱容器を単体でベットに取り付けが出来ると共に、ティシュ箱を収納するかわりに水、薬、小物等の収納としても便利に使用できる。
【図面の簡単な説明】
【０００７】
【図１】本発明の全体斜視図
【図２】本発明のティシュ箱容器斜視図
【図３】本発明のゴミ箱容器斜視図
【図４】本発明の凹付きティシュ箱容器斜視図
【発明を実施するための形態】
【０００８】  以下本発明の実施の形態を説明する。
上面の空いたポリプロピレン等の硬質合成樹脂等から構成される上面の空いたゴミ箱容器（１）の一方向の上部横方向にベット手摺（４）に固定する為のＣ形の手摺掴み（３）を設け、ゴミ箱容器（１）に収納して使用できるティシュ箱容器（２）にも、同じ様にベット手摺（４）に固定する為にＣ形の手摺掴み（３）を設ける。又、Ｃ型手摺掴みがないティシュ箱容器（２）は両側面上部に凹の溝（５）を設けることによってゴミ箱容器（１）と一体化できる
本発明は以上のような構造である。
本発明を使用する時は、ゴミ箱容器（１）にある手摺掴み（３）部分を、ベット手摺（４）の上からはさみこんで固定して使用する。又、Ｃ形の手摺掴み（３）のあるティシュ箱容器（２）をゴミ箱容器（１）の中に収納して、Ｃ形の手摺掴み（３）部分をベット手摺（４）に同じ様に上からはさみこんでゴミ箱容器（１）とティシュ箱容器（２）を一体化して固定する。市販のティシュ箱をティシュ箱容器（２）の中に入れて、ティシュを上部から取出して使用する。また、Ｃ形手摺掴み（３）がなく、両側面上部に凹の溝（５）を設けてあるティシュ箱容器（２）も、ゴミ箱容器（１）に組み合わせることによってゴミ箱容器（１）とティシュ箱容器（２）を一体化して使用できる。する。使用済みのティシュはゴミ箱容器（１）の上部開口より投棄して処分する。
【符号の説明】
【０００９】１、ゴミ箱容器  ２、ティシュ箱容器  ３、手摺掴み  ４、ベット手摺  ５、凹の溝
【図１】
2016132572.tif 000003
【図２】
2016132572.tif 000004
【図３】
2016132572.tif 000005
【図４】
2016132572.tif 000006
(57)【要約】      （修正有）【課題】女性がおりもの等（おりもの、産後の悪露、軽い尿漏れ、軽い経血）の発生による不快感を解消するために、主に使い捨てパンティライナー等が使用されていが、使い捨てパンティライナーを常時使用するのは不経済、かつトイレへの携帯が不便であり、廃棄によるごみの発生で環境にも良くない。また、石油系の素材を使用しているものが多く、股部の湿度と摩擦による肌への負担や経皮毒による婦人科系疾患の原因にもなりかねない。おりもの吸収素材付きのショーツ類もあるが、おりものは粘度があるため、吸収されにくく不快感が解消されにくい。これらの問題点を解決する婦人ショーツを提供する。【解決手段】婦人用ショーツ類２のクロッチ部分に、ループ状の素材１を回転できるように取り付け、おりもの等が付着し不快感を感じたときに、その筒状素材を回転させ、おりもの等の付着部を肌に当たらない裏側部分に移動させ、清潔な部分が肌に当たるようにする。【選択図】図１
2016132854.tif 000002
【特許請求の範囲】
【請求項１】
婦人用ショーツ類（パンツ、ガードル、ストッキング、タイツ、レオタード、ボディスーツ）のクロッチ部分に、筒状の素材を回転できるように取り付け、おりもの等（おりもの、産後の悪露、軽い尿漏れ、軽い経血）が付着し不快感を感じたときに、その筒状の素材を回転させ、おりもの等（おりもの、産後の悪露、軽い尿漏れ、軽い経血）の付着部分が肌に当たらないよう、裏側部分に移動させ、清潔な部分が肌に当たるようにする、おりもの吸収帯付き婦人ショーツ。
【発明の詳細な説明】
【技術分野】
【０００１】  本発明は、女性のおりもの等（おりもの、産後の悪露、軽い尿漏れ、軽い経血）による股部の不快感を解消するための、おりもの吸収帯付き婦人ショーツ類（パンツ、ガードル、ストッキング、タイツ、レオタード、ボディスーツ）に関するものである。
【背景技術】
【０００２】  女性が、おりもの等（おりもの、産後の悪露、軽い尿漏れ、軽い経血）の発生による不快感を解消するために、使い捨てパンティライナー、布製のパンティライナー、おりもの吸収素材付きのショーツ類が使用されてきた。
【先行技術文献】
【特許文献】
【０００３】
【特許文献１】特許公開２０１４−１９９７６
【特許文献２】特許公開２００９−１５５７４０
【特許文献３】特許公開２００４−２３００６４
【特許文献４】特許公開平１１−１３７５９０
【特許文献５】特許公開平１０−２９２２０４
【発明の概要】
【発明が解決しようとする課題】
【０００４】  女性が、おりもの等（おりもの、産後の悪露、軽い尿漏れ、軽い経血）の発生を不快に感じ、不快感を解消するために主に使い捨てパンティライナー等が使用されている。しかし、使い捨てパンティライナーを常時使用するのは不経済、かつトイレへの携帯が不便である。また、廃棄によるごみの発生で環境にも良くない。
また、石油系の素材を使用しているものが多く、股部の湿度と摩擦による肌への負担や経皮毒による婦人科系疾患の原因にもなりかねない。
また、素材の異なる布製のパンティライナーは、繰り返し使用でき、廃棄によるごみも増やさないが、トイレへの携帯や使用後の洗濯が面倒であった。
その他に、おりもの吸収素材付きのショーツ類もあるが、おりものは粘度があるため、吸収されにくく不快感が解消されにくい。また量が多い場合には、不快感や肌への負担が解消されない。
また、クロッチ部分に化学繊維を使用しているものが多く、パンティライナー同様、湿度と摩擦による肌への負担もある。
本発明は、上記のような問題点を解決するためになされたものである。
【課題を解決するための手段】
【０００５】  婦人用ショーツ類（パンツ、ガードル、ストッキング、タイツ、レオタード、ボディスーツ）のクロッチ部分に、筒状の素材を回転できるように取り付け、おりもの等（おりもの、産後の悪露、軽い尿漏れ、軽い経血）が付着し不快感を感じたときに、その筒状の素材を回転させ、おりもの等（おりもの、産後の悪露、軽い尿漏れ、軽い経血）の付着部分を肌に当たらない裏側部分に移動させ、清潔な部分が肌に当たるようにする。以上の構造よりなるおりもの吸収帯付き婦人ショーツ類（パンツ、ガードル、ストッキング、タイツ、レオタード、ボディスーツ）。
【発明の効果】
【０００６】  筒状の素材の回転により、１枚のショーツ類（パンツ、ガードル、ストッキング、タイツ、レオタード、ボディスーツ）で清潔なクロッチ部分を少なくとも３面使用可能でき、ショーツ類の履き替えをしたり、その他の製品を用いたりしなくても、股部の不快感を解消、軽減できる。
筒状の素材はループ等によって回転するように取り付けられているため、ショーツ類（パンツ、ガードル、ストッキング、タイツ、レオタード、ボディスーツ）本体に固定されないため、洗濯時に乾きにくいということがない。
【図面の簡単な説明】
【０００７】
【図１】本発明の斜視図
【図２】本発明の一部拡大図
【発明を実施するための形態】
【０００８】  以下、本発明の形態を説明する。
（イ）婦人用ショーツ類（パンツ、ガードル、ストッキング、タイツ、レオタード、ボディスーツ）のクロッチ部分の前部と後部に、ループ状素材（１）（２）を各々固定する。
（ロ）帯状の素材（３）を、各ループ状素材（１）（２）が構成する２つのループ部分を通過させ、両端を接合し、筒状にする。
本発明は、以上のような構造である。
本発明を利用するときには、筒状の素材を回転させ、おりもの等（おりもの、産後の悪露、軽い尿漏れ、軽い経血）の付着している部分を裏側（肌に触れない側）に移動させ、未使用の清潔な部分を肌に当たる側に移動させる。
上記は、筒状の素材の取り外しをしない形態であるが、筒状の素材の取り外しも可能である。ループ状素材（１）（２）のかわりに、長方形等の素材の両端にホックをつけ、それに筒状の素材を通し、ショーツ類（パンツ、ガードル、ストッキング、タイツ、レオタード、ボディスーツ）のクロッチ部分に固定することも可能である。
【符号の説明】
【０００９】  １  ループ状素材、２  ショーツ類、３  帯状の素材、４  接合部分
【図１】
2016132854.tif 000003
【図２】
2016132854.tif 000004
(57)【要約】【課題】三角定規は２枚セットで使用し、収納時も２枚を重ねるので、かさばってしまう。また、三角定規で作図できる最少角度も１５度なので、それ以下の角度を作図できなかった。本発明は、以上のような欠点をなくすためになされたものである。【解決手段】通常の二等辺直角三角形と直角三角形を一組とする三角定規セットを想定する。４５度、４５度、９０度の角度で構成される従来の二等辺直角三角形定規に、１０度の角度を測れるくり抜きを設け、くり抜き有り二等辺直角三角形定規を形成する。３０度、６０度、９０度の角度で構成される従来の直角三角形定規に、くり抜き有り二等辺直角三角形定規の外形線に相当するくり抜きを設け、くり抜き有り直角三角形定規を形成する。  以上を特徴とする５度単位の作図が可能な三角定規セット。【選択図】図１
2016060194.tif 000002
【特許請求の範囲】
【請求項１】
通常の二等辺直角三角形と直角三角形を一組とする三角定規セットを想定し、４５度、４５度、９０度の角度で構成される従来の二等辺直角三角形定規に、１０度の角度を測れるくり抜きを設け、くり抜き有り二等辺直角三角形定規を形成し、３０度、６０度、９０度の角度で構成される従来の直角三角形定規に、くり抜き有り二等辺直角三角形定規の外形線に相当するくり抜きを設け、くり抜き有り直角三角形定規を形成したことを特徴とする、５度単位の作図が可能な三角定規セット。
【発明の詳細な説明】
【技術分野】
【０００１】  本発明は、三角定規に関するものである。
【背景技術】
【０００２】  従来、三角定規は２枚セットで使用し、収納する場合もそれぞれで収納しなければならなかった。また２枚の三角定規を使って作図できる最少角度は１５度だった。
【発明の概要】
【発明が解決しようとする課題】
【０００３】  三角定規は２枚セットで使用し、収納時も２枚を重ねるので、かさばってしまう。また、三角定規で作図できる最少角度は１５度なので、それ以下の角度を作図できなかった。
本発明は、以上のような欠点をなくすためになされたものである。
【課題を解決するための手段】
【０００４】  通常の二等辺直角三角形と直角三角形を一組とする三角定規セットを想定する。４５度、４５度、９０度の角度で構成される従来の二等辺直角三角形定規に、１０度の角度を測れるくり抜きを設け、くり抜き有り二等辺直角三角形定規を形成する。３０度、６０度、９０度の角度で構成される従来の直角三角形定規に、くり抜き有り二等辺直角三角形定規の外形線に相当するくり抜きを設け、くり抜き有り直角三角形定規を形成する。
以上を特徴とする５度単位の作図が可能な三角定規セット。
【発明の効果】
【０００５】  使用時には、くり抜き有り二等辺直角三角形定規の４５度から得られる作図に、くり抜き有り直角三角形定規の３０度を重ねて作図すると、１５度の作図が得られる。この１５度の作図に１０度の角度を測れるくり抜きを重ねて作図することで、５度の角度を作成することが出来る。この５度の作図を利用することで、従来の三角定規セットでは作図できなかった、５度単位の角度の作図を可能にする。例えば、５５度の作図を行うには、従来の６０度の作図から、本発明で得られる５度の作図を差し引くことで実現できる。
また未使用時は、くり抜き有り二等辺直角三角形定規を、もう一方のくり抜き有り直角三角形定規のくり抜き部分に、はめ込むことで、かさばらずに一つに収納できる。
【図面の簡単な説明】
【０００６】
【図１】本発明の平面図である。
【図２】本発明をコンパクトに１枚の定規にまとめて収納できる形状を表わす平面図である。
【発明を実施するための形態】
【０００７】以下、本発明を実施するための形態について説明する。
（イ）４５度、４５度、９０度の角度で構成される従来の二等辺直角三角形規に１０度の角度が測れるくり抜き（１）を設け、くり抜き有り二等辺直角三角形定規（２）を形成する。
（ロ）３０度、６０度、９０度の角度で構成される従来の直角三角形定規にくり抜き有り二等辺直角三角形定規（２）の外形線に相当するくり抜きを設け、くり抜き有り直角三角形定規（３）を形成する。
本発明は以上のような構造である。
使用時は、くり抜き有り二等辺直角三角形定規（２）、くり抜き有り直角三角形定規（３）と１０度の角度を測れるくり抜き（１）を利用して、５度単位の作図を可能にする。また収納時はくり抜き有り二等辺直角三角形定規（２）をもう一方のくり抜き有り直角三角形定規（３）のくり抜き部分に、はめ込むことで、かさばらずに、一つに収納できる。
【符号の説明】
【０００８】１  １０度の角度を測れるくり抜き
２  くり抜き有り二等辺直角三角形定規
３  くり抜き有り直角三角形定規
【図１】
2016060194.tif 000003
【図２】
2016060194.tif 000004
(57)【要約】【課題】  大掛かりな設備を不要としながら、ダムなどにおける流木などの浮遊物を効率的に押し出し集積することができる浮遊物集荷船を提供する。【解決手段】  水面に浮遊する浮遊物を押し出すことができる集荷船１であって、前記集荷船１は、相互に連結された複数の台船２と１台の作業船３とからなり、前記台船２と前記作業船３とは、該台船２が該作業船３の船首あるいは船尾に当接するように一体に固定されていることを特徴とする浮遊物集荷船である。【選択図】  図１
2016060309.tif 000002
【特許請求の範囲】
【請求項１】
水面に浮遊する浮遊物を押し出すことができる集荷船であって、
前記集荷船は、相互に連結された複数の台船と１台の作業船とからなり、
前記台船と前記作業船とは、該台船が該作業船の船首あるいは船尾に当接するように一体に固定されている、
ことを特徴とする浮遊物集荷船。
【発明の詳細な説明】
【技術分野】
【０００１】
本発明は、海洋、湖沼、河川、溜池、ダム貯水池などの水面に浮遊しているごみ、水生植物、流木、油などの浮遊物を回収することができる浮遊物集荷船に関するものである。
【背景技術】
【０００２】
台風や津波の発生に伴い、ダム、港湾や河川の澱みなどには、流木、プラスチックなどの粗大ごみが漂着する。そのまま放置すれば、水域環境を汚損させるだけでなく、船舶などの交通の妨げになるおそれがあり、従来からその対策が種々考案され、実施されてきた。
【０００３】
その対策として、従来はクレーンを用いて流木などの浮遊物を１つずつ吊り揚げ、所定の集荷場所に集荷あるいは、荷役台船に集積することによって処置していた。
【０００４】
また、２隻のタグボードにネットの端部をけん引させることで、浮遊物を集積する方法もある。
【０００５】
他の事例として、水面上の浮遊物を大きな吸引能力のあるシステムで吸引し、効率的に分離・回収し、安全に船倉に貯蔵する浮遊物回収船にかかる従来技術が特許文献１に記載されている。回収船と２隻のタグボートを、オイルフェンスを有するロープで結び、２隻のタグボードをＶ字型に展開して浮遊物をオイルフェンスにて挟み込み、挟み込まれた浮遊物を船首の吸込口から吸引し、吸引された浮遊物を遠心分離器及び重力式気液分離器を用いて水と空気から分離するとともに、分離された浮遊物を回収船倉に回収することができる。
【０００６】
上記のいずれの従来事例も、作業能率が低く、設備が大掛かりな点で問題があった。
【先行技術文献】
【特許文献】
【０００７】
【特許文献１】特開２００６−１３１１２６号公報
【発明の概要】
【発明が解決しようとする課題】
【０００８】
本発明は上記する問題に鑑みてなされたものであり、大掛かりな設備を不要としながら、ダムなどにおける流木などの浮遊物を効率的に押し出し集積することができる浮遊物集荷船を提供することを目的とする。
【課題を解決するための手段】
【０００９】
前記目的を達成すべく、本発明による浮遊物集荷船は、水面に浮遊する浮遊物を押し出すことができる集荷船であって、前記集荷船は、相互に連結された複数の台船と１台の作業船とからなり、前記台船と前記作業船とは、該台船が該作業船の船首あるいは船尾に当接するように一体に固定されていることを特徴とする。
【発明の効果】
【００１０】
本発明の浮遊物集荷船によれば、既存の資材運搬用の台船や作業船などを浮遊物集荷作業時に一時的に利用することで、大掛かりな設備を不要とし、浮遊物集荷を目的とした別途の設備投資をする必要がなく経済的である。また、作業船の運航能力、水域の運航可能スペースや集荷計画などに応じて、連結する台船の数を調整することで、任意に連結後の台船全体の形状寸法を設定することが可能となる。
【図面の簡単な説明】
【００１１】
【図１】本発明の浮遊物集荷船の平面図である。
【発明を実施するための形態】
【００１２】
以下、図面を参照して本発明の浮遊物集荷船の実施の形態を説明する。
【００１３】
図１は、本発明の浮遊物集荷船の平面図である。集荷船１は、台船２と作業船３および台船２と作業船３を一体に固定できるワイヤー４とで構成される。
【００１４】
ここで、台船とは、水面上作業用の箱船であり、推進力はなく、クレーンや発電機などの土台としたり、重量物の運搬に使用したりするものである。本実施形態では、資材運搬用に複数連結されて用いられていた水上土木工事に数多く使用されるユニフロートシステムという組立式の台船から４つの台船を解体し、浮遊物集荷用に一時利用している。解体した各台船は、該台船に予め設けられているオスとメスのカップリングを相互に十分にかみ合うように２つの台船を互いにロープなどで引き寄せ、該カップリングを噛み合わせた後、各カップリングに止ピンを挿入して固定する。台船２は、前記ユニフロートシステムの台船を２行２列に配置・連結したものであるが、該システムに限定されるものではない。
【００１５】
作業船３は、台船２、押し出す浮遊物、作業員やその他積載物などを勘案した推進力を有し、集荷計画に応じた機動性を有する船である必要がある。本実施形態においても、このような観点で作業船３を選定した。
【００１６】
台船２と作業船３との固定は、台船２の長辺中央付近に作業船３の船首が当接するように、ワイヤー４で一体的に固定する。作業船３の船首付近に固定したワイヤー４ａ，４ｂは、該船首を当接させる台船２ｃ，２ｄの長辺中央付近に固定する。また、作業船３の船尾付近の左右に固定したワイヤー４ｃ，４ｄは、台船２ｃ，２ｄの長辺端部付近に固定する。
【００１７】
本発明の実施形態によれば、既存の資材運搬用の台船や作業船などを浮遊物集荷作業時に一時的に利用することで、大掛かりな設備を不要とし、浮遊物集荷を目的とした別途の設備投資をする必要がなく、製作期間やコストの点で有利である。また、連結する台船の数を調整することで、任意に連結後の台船全体の形状寸法を設定することができる。例えば、浮遊物が広域にわたって離散している場合は、小回りが利くように連結した台船の寸法を小さく設定し、澱みなどに浮遊物が一か所にまとまって浮遊している場合は、一度に多くの浮遊物を押し出せるように、該寸法を大きく設定するなど、用途に応じて連結する台船の数やレイアウトを任意に設定できる。
【符号の説明】
【００１８】
１  集荷船
２  台船
３  作業船
４  ワイヤー
【図１】
2016060309.tif 000003
(57)【要約】【課題】股間に汗をかかない時期は通気性良く身に付けられ、激しいスポーツ時や夏季股間に汗をかき太腿と密着し不快なムレや股ズレを起こす場合にも快適な使用感を持つ下着、トランクス型男性用パンツを提供する。【解決手段】トランクス型の男性用のムレ防止パンツ１は、パンツ１０の左右両サイドを上下方向に収縮させる絞り部材２０を備え、絞り部材２０によりパンツ１０の左右両サイドを上下方向に収縮させることで、パンツ１０の股間部が袋状をなし陰膿部がその袋状の中に保たれることで、内腿との接触からを回避することを特徴とする。【選択図】  図２
2016060977.tif 000002
【特許請求の範囲】
【請求項１】
トランクス型の男性用のムレ防止パンツであって、パンツの左右両サイドを上下方向に収縮させる絞り部材を備え、絞り部材によりパンツの左右両サイドを上下方向に収縮させることで、パンツの股間部が袋状をなし陰嚢部がその袋状の中に保たれることで、内腿との接触からを回避することを特徴とするムレ防止パンツ。
【発明の詳細な説明】
【技術分野】
【０００１】
トランクス型の男性用のムレ防止パンツに関する。
【背景技術】
【０００２】
男性は汗をかくと、陰嚢と腿の付け根部分との間に汗が溜まり、べとついてしまいかなり不快である。
これを緩和しようとする陰嚢が入るサポーターとして特許文献１に記載されたものがある。
この特許文献１の陰嚢が入るサポーターは着用によって陰嚢の付け根に陰部を持ち上げ手段の一部を介在させて、陰嚢周辺部の皮膚から発汗によるべとつきを防止しようとするものである。
【先行技術文献】
【特許文献】
【０００３】
【特許文献１】特開２０１４−１５７００号公報
【発明の概要】
【発明が解決しようとする課題】
【０００４】
しかしながら、特許文献１の技術ではパンツの中にサポーターをはく必要があるため、ズボンの内部がかさばり、使用感を不快にさせていた。
【０００５】
本発明は、股間に汗をかかない時期は通気性良く身に付けられ、激しいスポーツ時や夏季股間に汗をかき太腿と密着し不快なムレや股ズレを起こす場合にも快適な使用感を持つ下着、トランクス型男性用パンツを提供することを目的とする。
【課題を解決するための手段】
【０００６】
トランクス型の男性用のムレ防止パンツであって、パンツの左右両サイドを上下方向に収縮させる絞り部材を備え、絞り部材によりパンツの左右両サイドを上下方向に収縮させることで、パンツの股間部が袋状をなし陰嚢部がその袋状の中に保たれることで、内腿との接触からを回避することを特徴とするムレ防止パンツ。
【発明の効果】
【０００７】
本発明によれば、股間に汗を掻かない時は、通気性良く（絞り部材を解いて）身に付けられ、激しい運動等で股間に汗をかき、陰膿が太腿に密着し不快なムレや股ズレを起こしやすい場合、又夏季にも快適な使用感を持つ下着、トランクス型のムレ防止パンツを提供できる。
【０００８】
また、通常生活時、スポーツ時、又は就寝時に汗ばんだ内腿と陰嚢部が直に接し、内腿にかゆみや発疹を感じたりする事がある、本発明のトランクス型パンツを穿き、絞り部材により、パンツの左右両サイドを上下方向に収縮することで陰嚢と内股が直接接触することを回避でき、不快感からも開放され、又ムレ・発疹を防止することが出来る。
【０００９】
また、陰茎も陰嚢も拘束されることなく、フリーな状態で保持されるので窮屈感が無く快適である。特に、性器が拘束されていないから、どのような姿勢をとっても、激しく運動しても不具合を生じない。同様の理由により、寒暖の変化や感情の変動によって男性性器が膨張・収縮しても硬軟変化しても、安定して保持される。
しかも、取り扱いに何らの面倒が無く、製造コストを著しく増加させることなく、男性用トランクス型パンツを改良するのみで、効果が得られる。
【図面の簡単な説明】
【００１０】
【図１】本発明の実施形態に係わるムレ防止パンツの絞り部材を解いた状態を示す図である
【図２】本発明の実施形態に係わるムレ防止パンツの絞り部材を絞った状態を示す図である
【発明を実施するための形態】
【００１１】
トランクス型の男性用のムレ防止パンツ１は、パンツ１０の左右両サイドを上下方向に収縮させる絞り部材２０を備え、絞り部材２０によりパンツ１０の左右両サイドを上下方向に収縮させることで、パンツ１０の股間部が袋状をなし陰膿部がその袋状の中に保たれることで、内腿との接触からを回避する
【００１２】
絞り部材２０は、両サイド、上下に面ファスナを使い手繰り寄せ、接着させる事でも、所望の効果を得ることが出来る。
絞り部材２０は、ボタン・ホック等も同様考えられるが、就寝時、体勢を横にした場合肌体に当たり、気になる懸念があるので、ひもが一番安価でもあり良い方法と考える。
【００１３】
パンツ製造時からひもに変わりゴムで上下を引っ張って縫い付けておく方法も有るが、太股に個人差がある事、又汗ばむ時期以外は通常の開放感を保つそのような下着、男性用トランクスであること、締め付け感を自分で調整出来ることももこの発明の特徴でも有る。
【符号の説明】
【００１４】
１    ムレ防止パンツ
１０    パンツ
２０    絞り部材
【図１】
2016060977.tif 000003
【図２】
2016060977.tif 000004
(57)【要約】      （修正有）【課題】少なくなった粘液質の液体を楽に使い切る容器を提供する。【解決手段】内容が見える容器の両端に開口栓を設けた容器であって容器注出口の反対側に空気取入口２を設けたものである、容器の注出口１の反対側に空気取り入れ口を設けることにより、容器内の液体に掛かる負圧力がなくなり、液体は容器内を自在に移動できる構造であり、従って、容器内の液体にかかる負圧力がなくなり液体は容器内を自在に移動でき、使い切る事を特徴とする。【選択図】図１
2016060542.tif 000002
【特許請求の範囲】
【請求項１】
内容が見える容器の両端に開口栓を設けた容器
【発明の詳細な説明】
【技術分野】
【０００１】この発明は容器注出口の反対側に空気取入口を設けたものである。
【背景技術】
【０００２】従来の容器は一方のみの開口部であった。
【発明の概要】
【発明が解決しようとする課題】
【０００３】従来の容器は粘液質のものは注出しにくく残留する。
【課題を解決するための手段】
【０００４】容器の注出口の反対側に空気取り入れ口を設けることにより、容器内の液体に掛かる負圧力がなくなり、液体は容器内を自在に移動する。
【発明の効果】
【０００５】従来の容器では主婦もプロの調理人も容器を振り回して、遠心力で出していたがその労力も不要となる。空気取入口が無いと倒立させても内容物は流出してこない。
【図面の簡単な説明】
【０００６】
【図１】
2016060542.tif 000003
【図２】
2016060542.tif 000004
【発明を実施するための形態】
【０００７】以下、本発明を実施するための形態について説明する。
容器（形を問わず）の注出口（１）の反対側（２）に蓋付きの空気取り入れ口を設ける。ある程度、内容液を出すと流出しにくくなるのでその時に容器上下を逆さにして（２）の栓をゆるめればすぐに内容液は注出口に集まる。
ただし使用する時には（２）の「無駄しま栓」を閉じないと不可である。
内容液が食品で冷蔵庫に入れる時には常に「無駄しま栓」をゆるめ逆さに立てて置けば注出口に内容液は溜まっている。
【符号の説明】
【０００８】１．  注出口
２．  空気取入口    「無駄しま栓」
【図１】
2016060542.tif 000005
【図２】
2016060542.tif 000006
【手続補正書】
【提出日】平成26年11月5日(2014.11.5)
【手続補正２】
【補正対象書類名】明細書
【補正対象項目名】０００６
【補正方法】変更
【補正の内容】
【０００６】
【図１】、
【図２】共に１が内容液注出口、２が空気取入口である。１注出口  ２空気取入口